(57)【要約】      （修正有）【課題】第１スライドファスナーと第２スライドファスナーとの開閉で、楽に上掛け部を様々な利用形態で使用できるとともに、両ファスナーを閉じた時に、両ファスナーが出合う部分に生じる間隙からの外気の侵入を抑制できる寝袋を提供する。【解決手段】敷部２が両側縁２ａ，２ｃおよび下縁２ｂを備え、使用者に掛ける上掛け部３が、敷部２の両側縁２ａ，２ｃおよび下縁２ｂと連結・分離可能な両側縁３ａ，３ｃおよび下縁３ｂを備える。第１スライドファスナー６は、敷部２と上掛け部３との一方の側縁２ａ，３ａを上端から下端まで連続して繋ぎ合わせ、この下端に連続して互いの下縁２ｂ，３ｂを連続して繋ぎ合わせ、この下縁から他方の側縁２ｃ，３ｃを下端から中間部１０まで連続して繋ぎ合わせる。第２スライドファスナーは、敷部２と上掛け部３との他方の側縁２ｃ，３ｃの中間部１０から上端までを連続して繋ぎ合わせ、両ファスナーによって、敷部２および上掛け部３が分離・連結可能になっている。【選択図】図２
0003202039.tif 000002
【実用新案登録請求の範囲】
【請求項１】
両側縁および下縁を備え、使用者が敷く矩形状の敷部と、
上記敷部の両側縁および下縁と連結・分離可能な両側縁および下縁を備え、使用者に掛ける矩形状の上掛け部と、
上記敷部と上記上掛け部とのそれぞれの一方の側縁を上端から下端まで連続して繋ぎ合わせ、この下端に連続して互いの上記下縁を連続して繋ぎ合わせ、この下縁から他方の側縁を下端から中間部まで連続して繋ぎ合わせる第１スライドファスナーと、
上記敷部と上記上掛け部とのそれぞれの他方の側縁の該中間部から上端までを連続して繋ぎ合わせる第２スライドファスナーとを備え、
上記第１スライドファスナーおよび上記第２スライドファスナーによって、上記敷部および上記上掛け部が分離・連結可能になっていることを特徴とする寝袋。
【請求項２】
請求項１において、
上記第１スライドファスナーおよび上記第２スライドファスナーの内面側に防寒部材が設けられていることを特徴とする寝袋。
【請求項３】
請求項２において、
上記防寒部材と上記第１スライドファスナーおよび上記第２スライドファスナーとの間に食い込み防止布が設けられていることを特徴とする寝袋。
【請求項４】
請求項３において、
防寒部材および食い込み防止布が、上掛け部の両側縁および下縁に縫製されていることを特徴とする寝袋。
【考案の詳細な説明】
【技術分野】
【０００１】
本考案は、使用者が敷く敷部と、使用者が掛ける上掛け部とを備えた寝袋に関するものである。
【背景技術】
【０００２】
一般的に、寝袋は、主にテントやキャンピングカー等で寝泊まりする所謂アウトドア活動において、就寝時に寒さを防ぐ為の寝具として利用されている。
【０００３】
そして、使用者にとっての快適性や利便性を向上させるために、各種構造の寝袋が開示されている。例えば、特許文献１では、上掛シート（上掛け部）と下敷きシート（敷部）の一方の側縁及び下縁を一方のスライドファスナーで分離可能に連結し、他方の側縁を他方のスライドファスナーで分離可能に連結し、上掛シート（上掛け部）と下敷きシート（敷部）とを分離可能にして、各種の使用形態に利用できるようにしたものが知られている。
【先行技術文献】
【特許文献】
【０００４】
【特許文献１】特開平１０−１０８７７４号公報（［００１３］、図１６〜図１８）
【考案の概要】
【考案が解決しようとする課題】
【０００５】
特許文献１のように、第１ファスナーと第２ファスナーとのスライドファスナーが閉じられた時に、第１ファスナーの末端と第２ファスナーとの末端とが出合う部分に隙間が生じる。特に、特許文献１では、出合う部分が、側縁の下端と下縁の端部の角部分にあるので、第１ファスナーと第２ファスナーとの方向が異なり、且つ角部分では緩やかな曲面で連結するようになるので、縫製上で出合う部分の間隙を広くせざるを得ない。そのために、寒気の侵入や暖気の漏れが多くなる。その上、使用者の寝相が悪くて足元がばたついて、第１ファスナーが開くようになった場合には、第１ファスナーが下縁で開くので、足元に隙間ができることとなり、使用者が足元からの寒さを感じるようになる。
【０００６】
また、足元の上掛け部をめくって足先を出してくつろぎたい場合には、第１ファスナーと第２ファスナーとを動かす必要があり、作業に手間取る。
【０００７】
本考案では、上記問題に鑑みて、寝袋の第１ファスナーと第２ファスナーとの開閉で、楽に上掛け部を様々な利用形態で使用できるとともに、第１ファスナーと第２ファスナーとを閉じた時に、第１ファスナーと第２ファスナーとが出合う部分に生じる間隙からの寒気の侵入や暖気の漏出を大幅に低減できる構造を提供することを目的とする。
【課題を解決するための手段】
【０００８】
上記の目的を達成するために、この考案では、寝袋の第１ファスナーと第２ファスナーとが出合う部分を、下縁の端部と側縁の下端ではなく、側縁の中間に設定した。
【０００９】
具体的には、第１の考案は、両側縁および下縁を備え、使用者が敷く矩形状の敷部と、この敷部の両側縁および下縁と連結・分離可能な両側縁および下縁を備え、使用者に掛ける矩形状の上掛け部と、上記敷部と上記上掛け部とのそれぞれの一方の側縁を上端から下端まで連続して繋ぎ合わせ、この下端に連続して互いの上記下縁を連続して繋ぎ合わせ、この下縁から他方の側縁を下端から中間部まで連続して繋ぎ合わせる第１スライドファスナーと、上記敷部と上記上掛け部とのそれぞれの他方の側縁の該中間部から上端までを連続して繋ぎ合わせる第２スライドファスナーとを備え、上記第１スライドファスナーおよび上記第２スライドファスナーによって、上記敷部および上記上掛け部が分離・連結可能になっていることを特徴とする。
【００１０】
第２の考案は、第１の考案において、上記第１スライドファスナーおよび上記第２スライドファスナーの内面側に防寒部材が設けられていることを特徴とする。
【００１１】
第３の考案は、第２の考案において、上記防寒部材と上記第１スライドファスナーおよび上記第２スライドファスナーとの間に食い込み防止布が設けられていることを特徴とする。
【００１２】
第４の考案は、第３の考案において、防寒部材および食い込み防止布が、上掛け部の両側縁および下縁に縫製されていることを特徴とする。
【考案の効果】
【００１３】
第１の考案によると、第１ファスナーおよび第２ファスナーによって、敷部および上掛け部が分離・連結可能になっているので、様々な使用形態に適用できる。また、第１ファスナーと第２ファスナーとの間の出合う部分が、他方の側縁の中間部にあるので、この出合う部分を側縁の下端と下縁の端部の合わさる部分に設けた場合に比較して、出合う部分の間隙を狭くでき、寒気の侵入や暖気の漏れを少なくできる。
【００１４】
また、使用者の寝相が悪くて足元がばたついて、第１ファスナーが開くようになった場合でも、第１ファスナーは、側縁の部分で開いても下縁の部分で開くことがないので、大きく開くことを防止できる。
【００１５】
第２の考案によると、第１ファスナーと第２ファスナーとの隙間での空気の流れを防止して防寒できる。
【００１６】
第３の考案によると、第１ファスナーと第２ファスナーを開閉する場合に、第１ファスナーと第２ファスナーのスライダーが寝袋に食い込むことを防止できる。
【００１７】
第４の考案によると、上掛け部を敷部と分離して、横向きにして使用者にかぶせた際に、上掛け部のファスナーの係合片が使用者の肌に直接接触することを防止でき、使用者の不快感を防止できる。
【００１８】
なお、ここでいう隙間風の隙間とは、各スライドファスナーを閉じた時に閉じ出合う部分に生じうる僅かな隙間のことをいう。
【図面の簡単な説明】
【００１９】
【図１】図１は、本考案の実施形態に係る寝袋の閉じた状態を示す平面図である。
【図２】図２は、図１の寝袋の第１ファスナーの大半を開いた状態で第２ファスナーを閉じた状態で、上掛け部を側方に展開して、敷部と上掛け部を広げて広く使用する状態の平面図である。
【図３】図３は、図１の寝袋の足元部分の拡大斜視図である。
【図４】図４は、図１の寝袋の足元部分において、寝袋の一部を開いた状態を示す斜視図である。
【図５】図５は、図１の寝袋の胸元部分及び足元部分の一部をめくって裏返して使用する状態の平面図である。
【図６】図６は、図５の状態から、上掛け部を側方に展開して、敷部と上掛け部を広げて広く使用する状態の平面図である。
【図７】図７は、図１の寝袋の上掛け部を分離して、上掛け部を横向きに変更して使用者の腹部にかけ使用する状態の平面図である。
【図８】図８は、図１の寝袋の上掛け部を分離して、敷部のみで使用者が横たわって使用する状態の平面図である。
【考案を実施するための形態】
【００２０】
以下、本考案の実施形態を図面に基づいて詳細に説明する。以下の好ましい実施形態の説明は、本質的に例示に過ぎず、本考案、その適用物或いはその用途を制限することを意図するものではない。
【００２１】
図１に示すように、寝袋１は、袋状で所謂封筒型と呼ばれる矩形状からなり、一般的に知られているように、綿、ポリエステル、ナイロン等からなる２枚の布地の間に羽毛や中綿等の保温材が封入されて構成されている。なお、以下の説明において、図１及び図２に示すように、寝袋１の使用者Ｎの頭部が位置する部分（図１の紙面の上側）を寝袋１の上部、使用者の足元が位置する部分（図１の紙面の下側）を寝袋１の下部と称す。また、寝袋１の内面側を裏側と称す。
【００２２】
図１に示すように、寝袋１は、その中で寝る使用者Ｎが仰向けで寝た場合に、背面側になって敷かれる略矩形状の敷部２（図６ないし図８参照）と、この使用者Ｎの正面側になり、使用者Ｎの上に掛けられる略矩形状の上掛け部３を備えている。敷部２は、上掛け部３と同様な矩形状に加えて、使用者Ｎの頭部が載せられる頭部受け部４を備える。使用者Ｎが寝袋１に入った時に足元に相当する部分を足元部分、使用者Ｎの胸元に相当する部分を胸元部分と称す。
【００２３】
図２は、図１の寝袋１の第１スライドファスナー５の大半を開いた状態で且つ第２スライドファスナー９を閉じた状態で、上掛け部３を側方に展開して、敷部２と上掛け部３を広げて広く使用する状態の平面図である。なお、図２では、ファスナーの説明のために、敷部２と上掛け部３の下部を部分的に寝袋１の裏側に戻した状態で示す。また、図１、図５、図７、図８では、第１ファスナー５と第２ファスナー９とを省略して図示する。
【００２４】
図２ないし図４に基づいて、第１ファスナー５及び第２ファスナー９を説明する。第１ファスナー５と第２ファスナー９で、敷部２と上掛け部３とが分離可能に繋がれている。第１ファスナー５は、敷部２の左側縁２ａと上掛け部３の左側縁３ａの夫々の上部から下部にかけて設けられた左側縁ファスナー部６と、左側縁ファスナー部６に連続して敷部２の下縁２ｂ、上掛け部３の下縁３ｂの夫々の左端部から右端部まで連続して設けられた下縁ファスナー部７と、下縁ファスナー部７の右端部から、敷部２の右側縁２ｃと上掛け部３の夫々の右側縁３ｃの下部から中間部１０まで連続して設けられた右側縁ファスナー部８を有する。第２ファスナー９は、敷部２の右側縁２ｃと上掛け部３の右側縁３ｃの夫々の中間部１０から上部に直線的に設けられている。
【００２５】
図２ないし図４に示すように、第１ファスナー５は、スライダー１１とスライダー１２を備え、第２ファスナー９はスライダー１３とスライダー１４を備える。スライダー１１とスライダー１２は、互いに逆向きスライドして第１ファスナー５を開閉する。スライダー１３とスライダー１４は、互いに逆向きスライドして第２ファスナー９を開閉する。スライダー１１とスライダー１３には、引手１１ａ，１１ａと引手１３ａ，１３ａがそれぞれ表側と裏側に設けられており、寝袋１の表側からでも裏側からでもスライドできるようになっている。
【００２６】
図１では、第１ファスナー５と第２ファスナー９を省略しているが、スライダー１１が左側縁ファスナー部６の上端部６ａに位置し、スライダー１２が右側縁ファスナー部８の上端部８ａに位置し、スライダー１３が第２ファスナー９の上端部９ａに位置し、スライダー１４が第２ファスナー９の下端部９ｂに位置することで、上掛け部３と敷部２とが、第１ファスナー５と第２ファスナー９で繋がれる。そして、上掛け部３の上部（胸元部分）が開放され、この部分から使用者Ｎが頭部を出して、敷部２の頭部受け部４に置いて寝ることができるようになっている。
【００２７】
また、使用者Ｎが寝ている時に、第１ファスナー５、第２ファスナー９が勝手に開いてしまうことを防ぐために、面テープからなるファスナーガード２７が左側縁２ａの上端に設けられ、面テープからなるファスナーガード２８が右側縁２ｂの上端に設けられている。ファスナーガード２７，２８は、それぞれ一端が敷部２に縫製され、他端が、上掛け部３の表側に設けられた非係合部（図示省略）に係合可能になっている。
【００２８】
図２の使用状態では、スライダー１１を、第１ファスナー５の左側縁ファスナー部６の上端部６ａから第１ファスナー５の左側縁ファスナー部６の下端部６ｂを通って下縁ファスナー部７の右端部までスライドして、左側縁ファスナー部６のファスナーエレメント６１，６２、下縁ファスナー部７のファスナーエレメント７１，７２を開く。第１ファスナー５のスライダー１２を右側縁ファスナー部８の上端部８ａに位置して、ファスナーエレメント８１，８２は閉じた状態にしている。且つ、第２ファスナー９のスライダー１３を下端部９ｂに、スライダー１４を上端部９ａに位置して、ファスナーエレメント９１，９２を閉じた状態にしている。この状態で、上掛け部３を敷部２の右側に反転して展開することで、上掛け部３を、敷部２と同様な敷部として活用できる。特に、敷部２と上掛け部３が、第２ファスナー９だけでなく、第１ファスナー５の右側縁ファスナー部８とで、繋がれているので、使用中に敷部２と上掛け部３が開く方向になったとしても、右側縁ファスナー部８の上端部８ａまでしかファスナーエレメント８１，８２が開かないこととなり、敷部２と上掛け部３が大きく外れることがない。なお、第２ファスナー９の上端部９ａはファスナーガード２７，２８で、敷部２と上掛け部３とが係合されており、スライダー１２，１４が不用意に下方にスライドしないようになっている。
【００２９】
図３及び図４に示すように、第１ファスナー５及び第２ファスナー９には、第１ファスナー５，９からの隙間風（寒気）を防止する防寒部材２０が連続して設けられている。防寒部材２０は、内部に中綿等を詰めた帯状の柔らかい袋体からなり、第１ファスナー５の左側縁ファスナー部６のファスナーエレメント６２、下縁ファスナー部７のファスナーエレメント７２及び右側縁ファスナー部８のファスナーエレメント８２及び第２ファスナー９のファスナーエレメント９２の裏側に連続して縫製され、上掛け部３の各ファスナーエレメントに沿った１つの布片で形成されている。このことによって、ファスナーエレメント６１と６２，７１と７２、８１と８２、９１と９２が閉じ合わされた部分に生じうる僅かな隙間からの寒気の侵入と暖気の漏れを防止できるようになっている。
【００３０】
また、ファスナーエレメント６２、ファスナーエレメント７２、ファスナーエレメント８２、ファスナーエレメント９２と防寒部材２０との間には、スライダー１１〜１４をスライドさせるときに周辺の布地を食い込むことを防止する食い込み防止布２５が設けられている。食い込み防止布２５は、第１ファスナー５の左側縁ファスナー部６のファスナーエレメント６２、下縁ファスナー部７のファスナーエレメント７２及び右側縁ファスナー部８のファスナーエレメント８２の裏側に縫製された第１食い込み防止布２５ａと、第２ファスナー９のファスナーエレメント９２の裏側に縫製された第２食い込み防止布２５ｂで形成されている。特に、食い込み防止布２５によって、防寒部材２０が食い込むことが防止される。
【００３１】
図５に示すように、スライダー１１及び１２を第１ファスナー５の右側縁ファスナー部８から下縁ファスナー部７を通って左側縁ファスナー部６の一部までスライドさせて、ファスナーエレメント８１と８２に分離して、ファスナーエレメント７１と７２に分離して、更に左側縁ファスナー部６の一部をファスナーエレメント６１と６２に分離して、両スライダー１１，１２を上掛け部３に残して、足元部分を反転して足元部分を開放する。
【００３２】
また、第１ファスナー５のスライダー１１を左側縁ファスナー部６の上端部６ａから胸元部分を開放するように下方にスライドさせる。それと共に、第２ファスナー９のスライダー１３を上端部９ａから胸元部分を開放するように下方にスライドして、上掛け部３の胸元部分を反転して胸元部分を開放する。これによって、足元部分及び胸元部分を開放して、腹部分を覆うだけの使用方法ができる。
【００３３】
なお、図５では、足元部分と胸元部分の両方で上掛け部３を反転しているが、例えばどちらか一方のみ開放するようにしても良い。
【００３４】
図５の状態から上掛け部を展開して、図６に示すように使用することもできる。具体的には、第２ファスナー９のスライダー１３を下端部９ｂまでスライドさせて、スライダー１４と接触する状態にして、両スライダー１３，１４を敷部２に残して、ファスナーエレメント９１，９２を分離する。そして、上掛け部３を左側に反転して、敷部２と上掛け部３を広く使用する。この場合に、上掛け部３の折り曲げた足元部分及び胸元部分を図６の点線で示すように元の状態に反転して戻すことで、敷部２と上掛け部３を１つの敷物のようにして活用することも可能である。
【００３５】
このように、図５の状態からであれば、第２ファスナー９のスライダー１３を下端部９ｂまでスライドさせて、ファスナーエレメント９１，９２を分離するだけで良いので、操作が容易である。
【００３６】
図７に示すように、寝袋１の上掛け部３を敷部２から分離して、上掛け部３を横向きに変更して使用者の腹部にかけて活用することもできる。一例として使用者Ｎの腹部に掛けた状態を示したが、これに限られず、身体の他の部位に掛けるように使用しても良い。また、子供や乳幼児であれば、上掛け部３を横向きに変更して、ほぼ全身に被せるようにする使用方法も可能である。また、複数の乳幼児であれば、敷部２に横向きに寝かせて、それらの乳幼児に上掛け部３を一緒に掛けるように使用することもできる。
【００３７】
図８に示すように、寝袋１の上掛け部３を敷部２から分離して、敷部２のみで使用者が横たわって活用することもできる。この場合には、上掛け部３は、一緒に使用していない状態であり、別に使用しても使用しなくても良い。
【００３８】
上述したように、上掛け部３をいろいろの使用状態に利用できるだけでなく、上掛け部３と敷部２とを第１ファスナー５と第２ファスナー９とで繋いで通常に使用する場合には、足元側からの空気漏れを抑制できるようになっている。
【００３９】
（その他の実施形態）
上記実施形態では、中間部１０としては、敷部２の右側縁２ｃと上掛け部３の右側縁３ｃの上部と下部の間であれば特に限定されないが、使用者Ｎの使用時の膝ぐらいの位置とすると、膝から下をめくって使用する場合に、好都合である。
【００４０】
上記実施形態では、敷部２と上掛け部３を分離する場合には、スライダー１１をスライダー１２と隣接する位置まで移動させ、スライダー１３をスライダー１４と隣接する位置まで移動させて、スライダー１１〜１４のファスナーエレメント６１と６２、７１と７２、８１と８２、９１と９２を分離して敷部２と上掛け部３を別々にする。この時に、上記実施形態ではスライダー１１、１２は上掛け部３に、スライダー１３、１４は敷部２に一緒になっている。しかし、逆にスライダー１１、１２は敷部２に、スライダー１３、１４は上掛け部３に一緒になっていても良く、或いは、全てのファスナーが敷部２上掛け部３のどちらか一方に一緒になっていても良い。
【００４１】
また、防寒部材２０を、寝袋１の上部、即ち使用者Ｎの肩口になる部分にも設けるようにしても良い。この場合には、上掛け部３に防寒部材２０が一周ぐるりと途切れなく連続して設けられることになるので、冷気の侵入を防ぎ、また中の暖気を逃がさない効果がある。
【産業上の利用可能性】
【００４２】
本考案は、使用者が敷く敷部と、使用者が掛ける上掛け部とを備えた寝袋であって、敷部と上掛け部とを分離・連結可能な寝袋に極めて有用である。
【符号の説明】
【００４３】
Ｎ          使用者
１          寝袋
２          敷部
３          上掛け部
５          第１ファスナー
６          左側縁ファスナー部
７          下縁ファスナー部
８          右側縁ファスナー部
９          第２ファスナー
１０        中間部
２０        防寒部材
【図１】
0003202039.tif 000003
【図２】
0003202039.tif 000004
【図３】
0003202039.tif 000005
【図４】
0003202039.tif 000006
【図５】
0003202039.tif 000007
【図６】
0003202039.tif 000008
【図７】
0003202039.tif 000009
【図８】
0003202039.tif 000010